(57)【要約】      （修正有）【課題】描かれた図柄が使用に伴い消えることなく、装飾性を維持できる装飾武具を提供する。【解決手段】その表面に樹脂層または漆層などの保護層を有する部位を備えた武具であって、樹脂層または漆層にサンドブラスト加工により描いた図柄４を有する。武具として剣道で用いる胴１であり、樹脂層または漆層を有する部位は胴台部分３であり、この胴台部分にサンドブラスト加工により描かれた図柄４を有する。【選択図】図１
0003130429.tif 000002
【実用新案登録請求の範囲】
【請求項１】
その表面に樹脂層または漆層を有する部位を備えた武具であって、
前記樹脂層または漆層にサンドブラスト加工により描いた図柄を有することを特徴とする装飾武具。
【請求項２】
前記武具は剣道で用いる胴であり、前記樹脂層または漆層を有する部位が胴台部分で、この胴台部分にサンドブラスト加工により描かれた図柄を有する請求項１記載の装飾武具。
【請求項３】
少なくとも漆層は、漆が重ね塗りされて構成されている請求項１または２記載の装飾武具。
【考案の詳細な説明】
【技術分野】
【０００１】  本考案は、武道に用いる武具に装飾を施したものに関する。
【背景技術】
【０００２】  剣道などに代表される武道では、その武具となる防具を付けて練習や試合を行っている。これら武具において、表面が樹脂や漆が重ね塗りされている部位の表面には、漆などでマーク、図柄などが描かれて装飾が施されている。
【考案の開示】
【考案が解決しようとする課題】
【０００３】  武具はその機能上、相手への攻撃や攻撃から身を守るものである。武具の中でも特に剣道で用いる胴等の防具は、竹刀によって叩かれることになる。そのため、表面に図柄が描かれたものでは、徐々に図柄が剥げてしまい装飾性が失われてしまう。また、図柄などは、防具を身に付ける者の趣味・趣向などの好みが強く反映されるため、図柄が剥げると、図柄を書き直す場合や図柄が描かれている部位を交換するなどして装飾性を維持することになり、その費用を要してしまう。
本考案は、描かれた図柄が使用に伴い消えることなく、装飾性を維持できる装飾武具を提供することを、その目的とする。
【課題を解決するための手段】
【０００４】  上記目的を達成するため、請求項１に係る装飾武具は、その表面に樹脂層または漆層を有する部位を備えた武具であって、樹脂層または漆層にサンドブラスト加工により描いた図柄を有することを特徴としている。
請求項２にかかる装飾武具は、請求項１記載の装飾武具において、武具が剣道で用いる胴であり、樹脂層または漆層を有する部位が胴台部分で、この胴台部分にサンドブラスト加工により描かれた図柄を有することを特徴としている。
請求項３にかかる装飾武具は、請求項１または２記載の装飾武具において、少なくとも漆層は、漆が重ね塗りされて構成されていることを特徴としている。
【考案の効果】
【０００５】  本考案によれば、その表面に樹脂層または漆層を有する部位を備えた武具であって、樹脂層または漆層にサンドブラスト加工で描いた図柄を有するので、図柄が樹脂層または漆層に削り込まれて形成される。このため、描かれた図柄が武具の使用や手入れのために布で擦っても消えることがなくなり、図柄の耐久性が向上し、装飾性を維持することができる。
本考案によれば、武具が剣道で用いる胴であり、樹脂層または漆層を有する部位が胴台部分であり、この胴台部分にサンドブラスト加工により描かれた図柄を有するので、竹刀で叩かれたり、手入れのために布で擦っても胴台部分に描かれた図柄が剥げることがなく、図柄の耐久性が向上し、装飾性を維持することができる。
本考案によれば、漆層が漆を重ね塗りして構成されているので、サンドブラスト加工で図柄を描く際に、重ね塗りされていない漆層に比べて、図柄の濃淡や陰影を際立たせることができ、武具使用者の趣味・趣向を反映させた図柄の装飾性を維持することができる。
【考案を実施するための最良の形態】
【０００６】  以下、本考案の実施の形態について図面を用いて説明する。図１において、符号１は装飾武具の一例である剣道に用いる防具となる胴１を示す。胴１は、大きくは胴胸２と胴台３で構成されている。胴胸２は皮や布で構成されていて、その正面や縁部には、雲飾り、三段松飾りなどの装飾が刺繍などで施されている。【０００７】  胴台３は、図２に示すように、グラスファイバーや竹材で構成された基部３Ａに皮や樹脂３でなる張り材３Ｂが張られていて、その表面に樹脂層または漆層で構成される保護層３Ｃが設けられている。保護層３Ｃが漆層で構成されているものは、漆が重ね塗りされて層厚があり、色や深みが増すとともに、張り材３Ｂが露呈しないようになっている。保護層３Ｃが樹脂層で構成されたものは、基部３Ａに対して樹脂材が塗布されている。【０００８】  本考案の特徴は、このような樹脂層または漆層で構成された保護層３Ｃに対して、サンドブラスト加工により図柄４が描かれている。図柄４は、胴１の使用者の好みに合わせたもの、あるいは予め定められたものがある。サンドブラスト加工による図柄の描写は、保護層３Ｃに、図柄の切り抜きがなされたシート、あるいはマスキングテープを貼って、その上に図柄の下絵を描きカッターなどで希望の図柄になるようにマスキングテープをカットし、微細な研磨材を空気圧によって吹き付けてマスキングされていない部分を研磨して描くものである。【０００９】  描かれた図柄４は、保護層３Ｃに凹凸を持って削り込まれて形成されることになるので、竹刀で叩かれたり、手入れのために布で擦っても剥げることがなくなる。このため、従来のように漆などで描かれた図柄に比べて取り扱いが容易になって耐久性も向上するので装飾性を維持することができる。耐久性の向上により図柄４の書き直しや新たに図柄４の描かれた胴台３に買い換える必要がなくなり、使用者の費用負担の軽減につながる。【００１０】  保護層３Ｃが漆層の場合、漆が重ね塗りされて構成されているので、サンドブラスト加工で図柄４を描く際に、重ね塗りされていない漆層に比べて、図柄の濃淡や陰影を際立たせることができ、防具使用者の趣味・趣向を反映させた図柄の装飾性を維持することができる。【００１１】  上記形態において、装飾武具として剣道で用いる胴１を例示して説明したが、サンドブラスト加工により図柄４が描かれる装飾武具としては胴１に限定されるものではない。たとえば、居合いなどで用いられる刀の鞘など、その表面に漆層を有する武具にも、適用しても同様の効果を得ることができる。【００１２】  上記形態では、所謂、未使用の胴１（新品の胴）に対してサンドブラスト加工で図柄４を描いているが、本考案はこのような形態に限定されるものではない。例えば、武具であり防具である胴１は、その使用に伴い胴台３の表面にすり傷ができることがある。このような、既に使用されている胴１であっても、傷のある部位に図柄４が位置するように胴台３の表面にサンドブラスト加工で図柄４を削り込んで描くことで、傷を隠すことができるとともに、装飾性を付加することができる。
【図面の簡単な説明】
【００１３】
【図１】  本考案にかかる装飾武具の一形態である図柄が描かれた胴の構成を示す正面図である。
【図２】  胴を構成する胴台の構成を示す概略断面図である。
【符号の説明】
【００１４】  １    胴（武具）
３    胴台
３Ｃ  樹脂層、漆層（保護層）
４    図柄
【図１】
0003130429.tif 000003
【図２】
0003130429.tif 000004